(57)【要約】  香り発生装置では、香り制御手段による制御に応じて、香り生成手段が香りを生成し、香り射出手段が、当該香りを外部に射出することにより、車内の乗員に対して、香りを提供している。なお、上記香り生成手段は、所定の冷暗所に配置されている。従って、香り発生装置は、直射日光による香料の変質を防止することができ、車内の高温による香料の揮発や、匂いの漏れも防止することができ、さらに、動作音が運転手等にそれほど伝わらないようにすることもできる。
2009037873.tif 000002
【特許請求の範囲】
【請求項１】
車載用の香り発生装置であって、
香りを生成する香り生成手段と、
前記香り生成手段が生成した香りを外部へ射出する香り射出手段と、
香り発生に関する制御を行う香り制御手段と、
を備え、
前記香り生成手段が、所定の冷暗所に配置されていることを特徴とする香り発生装置。
【請求項２】
前記香り生成手段は、香料として精油を用いて香りを生成することを特徴とする請求項１に記載の香り発生装置。
【請求項３】
前記冷暗所は、トランクルームの床上であることを特徴とする請求項１又は２に記載の香り発生装置。
【請求項４】
前記冷暗所は、スペアタイヤ収納部の間隙、スペアタイヤ収納部とトランクルームの床の間の間隙部分、トランクルーム床下の荷物収容用に設けられた空間のいずれかであることを特徴とする請求項１又は２に記載の香り発生装置。
【請求項５】
前記香り射出手段は、運転席後方部の乗車室とトランクルーム間の仕切り板上の中央部に配設されていることを特徴とする請求項１乃至４のいずれか一項に記載の香り発生装置。
【請求項６】
前記香り射出手段は、運転席後方部の天井位置に配設されていることを特徴とする請求項１乃至４のいずれか一項に記載の香り発生装置。
【請求項７】
前記香り制御手段は、所定のイベントが発生した際に、香りを発生させることを特徴とする請求項１乃至６のいずれか一項に記載の香り発生装置。
【請求項８】
車両の挙動情報に基づいて、前記イベントの発生有無を決定することを特徴とする請求項７に記載の香り発生装置。
【請求項９】
車両の挙動情報と位置情報とに基づいて、前記イベントの発生有無を決定することを特徴とする請求項７に記載の香り発生装置。
【請求項１０】
車両の挙動情報と位置情報と交通情報とに基づいて、前記イベントの発生有無を決定することを特徴とする請求項７に記載の香り発生装置。
【請求項１１】
利用者の要求に基づいて、前記イベントの発生有無を決定することを特徴とする請求項７に記載の香り発生装置。
【請求項１２】
前記イベントと、前記発生する香りとを設定する、香り設定手段をさらに備えることを特徴とする請求項７乃至１１のいずれか一項に記載の香り発生装置。
【請求項１３】
前記香り生成手段と、前記香り射出手段との接続部分に電磁弁を備えていることを特徴とする請求項１乃至１２のいずれか一項に記載の香り発生装置。
【発明の詳細な説明】
【技術分野】
【０００１】
本発明は、乗員に対して必要な香りのみを発生させる香り発生装置に関する。
【背景技術】
【０００２】
従来、空調装置の噴出し口近傍や、噴出し口に至るダクトの出口近傍に香り付与部材を配置し、エアコンの風に香りを付与する車室用芳香装置や車両用空調装置がある（例えば、特許文献１及び特許文献２参照）。【０００３】
【特許文献１】特開平８−３４２２７号公報
【特許文献２】特開２００６−８８８１１号公報
【発明の開示】
【発明が解決しようとする課題】
【０００４】
しかし、上記のような車室用芳香装置等では、噴出し口が車室空間と遮蔽されておらず、周囲温度は車室温度と同等と考えられる。この位置に配置された香料は、車室内温度の影響をそのまま受けるので、香りを必要としていないにもかかわらず、高温下において香料が揮発してしまい、香りが発生してしまうという問題点があった。【０００５】
本発明が解決しようとする課題としては、上記のようなものが例として挙げられる。本発明は、所定の条件時のみ香りを発生し、不要に香りを発生させてしまうことを回避することができる香り発生装置を提供することを課題とする。
【課題を解決するための手段】
【０００６】
請求項１に記載の発明では、車載用の香り発生装置であって、香りを生成する香り生成手段と、前記香り生成手段が生成した香りを外部へ射出する香り射出手段と、香り発生に関する制御を行う香り制御手段と、を備え、前記香り生成手段が、所定の冷暗所に配置されていることを特徴とする。
【図面の簡単な説明】
【０００７】
【図１】運転支援システムの概略構成を示す図である。
【図２】ナビゲーション装置の概念図である。
【図３】香り発生装置の概略構成を示すブロック図である。
【図４】香り発生装置の配置個所を説明する図である。
【図５】運転支援装置の概略構成を示すブロック図である。
【図６】道路状況情報のデータ構造の概念図である。
【図７】運転支援情報の例を示す図である。
【図８】香り発生個所を説明する図である。
【図９】エアポンプ及びブロアの駆動タイミングを示す図である。
【図１０】運転支援処理のフローチャートである。
【図１１】射出部の構成を示す図である。
【図１２】本体及び射出部の配置例を示す図である。
【図１３】本体及び射出部の配置例（２）を示す図である。
【図１４】本体の配置例を示す図である。
【図１５】香り要求制御処理のフローチャートである。
【図１６】揮発速度による分類を示す図である。
【図１７】シートヒータ付近にエアチューブを配置した例を示す図である。
【図１８】香りをエアコン風の対流に乗せた例を示す図である。
【図１９】他の実施例の香り発生装置の概略構成を示すブロック図である。
【符号の説明】
【０００８】
１  運転支援システム
１００  道路状況情報提供装置
１０１  現在地情報取得部
１０２  ルート検索部
１０４  運転支援情報取得部
１０５  覚醒効果制御部
２５０  運転支援情報提供サーバ
３００  運転支援装置
【発明を実施するための最良の形態】
【０００９】
本発明の１つの観点では、車載用の香り発生装置であって、香りを生成する香り生成手段と、前記香り生成手段が生成した香りを外部へ射出する香り射出手段と、香り発生に関する制御を行う香り制御手段と、を備え、前記香り生成手段が、所定の冷暗所に配置されている。【００１０】
上記の香り発生装置では、香り生成手段は、香り制御手段による制御に基づいて香りを生成する。具体例として、香り生成手段は、エアポンプ、エアチューブ、電磁弁、複数種類のアロマ精油等を入れることができるタンク等を有する。そして、香り制御手段が、エアポンプ及び電磁弁を動作させることにより、エアチューブを介してタンクへ圧縮空気を送出する。そうすると、香り生成手段のタンク内の精油が揮発するため、香りが発生する。【００１１】
香り射出手段は、上記香り生成手段が生成した香りを外部へ射出する手段であり、具体的には、ブロア等である。【００１２】
上述のように、香り発生装置では、香り制御手段による制御に応じて、香り生成手段が香りを発生させ、香り射出手段が、当該香りを外部に射出することにより、香りを提供している。【００１３】
なお、上記香り生成手段は、所定の冷暗所に配置されている。ここでいう冷暗所とは、エンジン動作等による熱や、太陽光の影響を受けない場所をいい、具体的には、トランクルーム内部などである。従って、香り発生装置は、直射日光による香料の変質を防止することができ、車内の高温による香料の揮発や、匂いの漏れも防止することができ、さらに、動作音が運転手等にそれほど伝わらないようにすることもできる。【００１４】
上記の香り発生装置の一態様では、前記香り生成手段は、香料として精油を用いて香りを生成する。この場合、香り生成手段は、上記精油を揮発させて、香りを生成することができる。なお、香料揮発速度による分類のうちトップノート（揮発速度が速いグループ）に分類される精油（天然の植物から抽出された芳香物質）、もしくは同等の揮発性（香料成分の分子量に相当）をもつ合成香料を用いて香りを生成することが望ましい。【００１５】
上記の香り発生装置の他の一態様では、前記冷暗所は、トランクルームの床上である。この場合、車室内への匂いの漏れの遮蔽、香り生成手段の動作音の遮蔽効果がある。香り発生装置の生成手段を車室内に配置した場合、子供など乗員にいじられて、生成手段内のタンクの香料がこぼれる心配がない。仮に香料がこぼれても、匂いの漏れによる乗員室へ影響を最小限にすることができる。【００１６】
上記の香り発生装置の他の一態様では、前記冷暗所は、スペアタイヤ収納部の間隙、スペアタイヤ収納部とトランクルームの床の間の間隙部分、トランクルーム床下の荷物収容用に設けられた空間のいずれかである。この場合も、乗員室と隔離された冷暗所に配置されているので、車室内の温度上昇や直射日光の影響を受けて、精油が揮発してしまうことを防止することができる。【００１７】
上記の香り発生装置の他の一態様では、前記香り射出手段は、運転席後方部の乗車室とトランクルーム間の仕切り板上の中央部に配設されている。これによれば、香り射出手段が中央部に配置されているため、香り射出手段が射出した空気が、乗車室のシートの背もたれ部に遮られることなく、左右のシートの合間を通して乗員に香りを乗員に提供することができ、シート表面に香りが付着してしまうことも防止することもできる。【００１８】
上記の香り発生装置の他の一態様では、前記香り射出手段は、運転席後方部の天井位置に配設されている。この場合、運転席後方の天井位置に配置されているので、香り射出手段が射出した香りがシートの背もたれ部に遮られることを防止することができる。【００１９】
上記の香り発生装置の他の一態様では、前記香り制御手段は、所定のイベント（例えば、利用者による入力、車両の挙動状態の変化等）が発生した際に、香りを発生させる。このように、香り制御手段は、所定のイベントが発生した場合のみ、香りを発生させているので、頻繁に香りを発生させることにより、香り生成手段と香り射出手段とを接続するエアチューブ等に付着する香料の量が多くなり、不要に香りを発生させてしまうことを回避することができる。【００２０】
上記の香り発生装置の他の一態様では、車両の挙動情報に基づいて、前記イベントの発生有無を決定する。この場合でも、香り発生装置が、頻繁に香りを発生させることはないので、頻繁に香りを発生させてしまい、香り生成手段と香り射出手段とを接続するエアチューブ等に付着する香料の量が多くなり、不要に香りを発生させてしまうことを回避することができる。なお、車両の挙動情報とは、車両に備え付けられている自立測位装置やＧＰＳ（Ｇｌｏｂａｌ  Ｐｏｓｉｔｉｏｎｉｎｇ  Ｓｙｓｔｅｍ）受信機から取得した情報に基づいて生成した情報をいう。香り発生装置は、例えば、一定時間以上の車両停止状態を検出した際に、香りを発生させる。【００２１】
上記の香り発生装置の他の一態様では、車両の挙動情報と位置情報とに基づいて、前記イベントの発生有無を決定する。この場合でも、香り発生装置が、頻繁に香りを発生させることはないので、頻繁に香りを発生させてしまい、香り生成手段と香り射出手段とを接続するエアチューブ等に付着する香料の量が多くなり、不要に香りを発生させてしまうことを回避することができる。なお、車両の位置情報とは、車両のナビゲーション装置等で保持している地図情報や、ＧＰＳ受信機から取得した情報に基づいて生成した情報をいう。  香り発生装置は、上記の車両の挙動情報と、上記車両の位置情報とを用いて、交差点や踏み切りでの一定時間以上の停止を検出した際に、香りを発生させる。【００２２】
上記の香り発生装置の他の一態様では、車両の挙動情報と位置情報と交通情報とに基づいて、前記イベントの発生有無を決定する。この場合でも、香り発生装置が、頻繁に香りを発生させることはないので、頻繁に香りを発生させてしまい、香り生成手段と香り射出手段とを接続するエアチューブ等に付着する香料の量が多くなり、不要に香りを発生させてしまうことを回避することができる。ここでいう、交通情報とは、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）から取得した渋滞情報等である。香り発生装置は、上記車両の挙動情報と位置情報と交通情報とを用いて、車両の現在位置が渋滞個所であって、車両が一定時間以上停止している状態を検出した際に、香りを発生させる。【００２３】
上記の香り発生装置の他の一態様では、利用者の要求に基づいて、前記イベントの発生有無を決定する。この場合でも、香り発生装置が、頻繁に香りを発生させることはないので、頻繁に香りを発生させてしまい、香り生成手段と香り射出手段とを接続するエアチューブ等に付着する香料の量が多くなり、不要に香りを発生させてしまうことを回避することができる。【００２４】
上記の香り発生装置の他の一態様では、前記イベントと、前記発生する香りとを設定する、香り設定手段をさらに備える。この場合、香り発生装置は、利用者に対して、香り発生対象のイベントと香りの種類とを決定させることができる。【００２５】
上記の香り発生装置の他の一態様では、前記香り生成手段と、前記香り射出手段との接続部分に電磁弁を備えている。この場合、香り発生装置は、上記電磁弁を閉めることにより、香料を外部の空気と完全に遮断することができる。精油は複数の有機化合物を成分に持つことにより、空気に触れることで酸化するので変性し、香りが変わってしまうことがある。従って、香り発生装置は、電磁弁を閉めることにより、香りが変わってしまうことを防止することができる。
【実施例】
【００２６】
以下、図面を参照して本発明の好適な実施例について説明する。【００２７】
［運転支援システムの概略構成］
図１に、運転支援システム１の概念図を示す。本実施例では、運転支援システム１は、道路状況情報提供装置１００と、運転支援情報提供サーバ２５０と、運転支援装置３００とから構成される。【００２８】
道路状況情報提供装置１００は、具体的には、車両に搭載されるナビゲーション装置であり、当該道路状況情報提供装置１００が所定の方法で取得した道路状況情報３５０を、運転支援情報提供サーバ２５０へ送信する。なお、道路状況情報３５０は、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ）等の通信方式を用いて、路側に設置されている道路状況センサ１１０から取得した情報（例えば、等）を含む情報である。【００２９】
運転支援情報提供サーバ２５０は、具体的には、サーバ装置である。運転支援情報提供サーバ２５０は、制御部２５１、記憶部２５２、送受信部２５３を有する。制御部２５１は、具体的には、ＣＰＵ（Ｃｅｎｔｒａｌ  Ｐｒｏｃｅｓｓｉｎｇ  Ｕｎｉｔ）等であり、運転支援情報提供サーバ２５０全体を統括制御する。送受信部２５３は、各種情報を受信したり送信したりする。具体的には、送受信部２５３は、道路状況情報提供装置１００から道路状況情報３５０を受信したり、運転支援装置３００へ運転支援情報３６０を送信したりする。記憶部２５２は、具体的には、ＨＤＤ（Ｈａｒｄ  Ｄｉｓｋ  Ｄｒｉｖｅ）等であり、地図情報を保持したり、運転支援情報提供サーバ２５０が道路状況情報提供装置１００から取得した道路状況情報３５０を保持したり、制御部２５１が道路状況情報３５０について解析した結果である運転支援情報３６０を保持したりする。なお、上記地図情報は、各地点に対応するエリア（例えば、市町村等）が定義されている。【００３０】
なお、運転支援情報提供サーバ２５０が道路状況情報３５０を生成する方法については、後述する。【００３１】
運転支援装置３００は、具体的には、車両に搭載されるナビゲーション装置であり、運転支援情報提供サーバ２５０から運転支援情報３６０を取得した後に、当該運転支援情報３６０の内容に基づいて障害のあるエリアに近づいていると判断した場合、車内に香りを発生させる。【００３２】
上記運転支援情報３６０には、運転支援装置３００が、運転支援情報３６０の取得要求を行った地点周辺のエリアにおける注意喚起情報を含んでいる。ここで、注意喚起情報とは、渋滞情報等である。従って、運転支援装置３００は、渋滞等運転障害個所へ到達する前に、香りを発生させるので、運転手に注意喚起をすることができる。【００３３】
なお、本実施例における道路情報提供装置１００及び運転支援装置３００は、実体的には、後述するナビゲーションシステム２００の構成要素により実現する。【００３４】
［ナビゲーションシステム］
図２に、本実施例におけるナビゲーションシステム２００の構成を示す。図２に示すように、ナビゲーションシステム２００は、自立測位装置１０、ＧＰＳ（Ｇｌｏｂａｌ  Ｐｏｓｉｔｉｏｎｉｎｇ  Ｓｙｓｔｅｍ）受信機１８、システムコントローラ２０、ディスクドライブ３１、データ記憶ユニット３６、通信用インタフェース３７、通信装置３８、表示ユニット４０、音声出力ユニット５０、入力装置６０、香り発生装置８０、換気装置９０及び匂いセンサ９５を備える。【００３５】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００３６】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。【００３７】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置２００全体の制御を行う。【００３８】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して利用者により予め設定された経路データ等の各種データを読み出し可能に格納したり、ＣＰＵ２２に対してワーキングエリアを提供したりする。【００３９】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００４０】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としても良いし、ＣＤ及びＤＶＤコンパチブルのドライブとしても良く、また、テレビチューナを内蔵したハードディスクレコーダでも良い。【００４１】
データ記憶ユニット３６は、例えば、ＨＤＤやフラッシュメモリなどにより構成され、地図情報や施設データなどのナビゲーション処理に用いられる各種データを記憶する。【００４２】
通信装置３８は、例えば、ＦＭチューナやビーコンレシーバ、携帯電話や専用の通信カードなどにより構成され、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞や交通情報などの道路交通情報を受信したり、所定のサーバからの種々の情報（例えば、天気情報等）を受信したりし、当該情報を通信用インタフェース３７を介してシステムコントローラ２０へ送出する。【００４３】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。【００４４】
音声出力ユニット５０は、システムコントローラ２０の制御の下、ディスクドライブ３１、又はＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００４５】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。【００４６】
香り発生装置８０は、圧縮空気を精油の入ったタンクに送り込んで、精油を揮発させることにより香りを発生させ、当該香りを含んだ空気を放出する。図３及び図４を用いて、香り発生装置８０について説明する。【００４７】
図３に香り発生装置８０の機能構成を示す。香り発生装置８０は、香り制御部８１と、エアポンプ８２と、エアチューブ８３と、電磁弁８４と、複数種類のアロマ精油等を入れることができるタンク８５と、ブロア８６とを有し、香り制御部８１は、システムコントローラ２０からの制御に応じて、エアポンプ８２、電磁弁８４、ブロア８６の動作を制御する。なお、香り発生装置８０の内、ブロア８６を除いた構成要素を本体８７とも呼ぶ。【００４８】
香りを発生させる方法について以下に記載する。香り発生装置８０では、香り制御部８１がエアポンプ８２及び電磁弁８４を動作させることにより、エアチューブ８３Ａ及びエアチューブ８３Ｂを介してタンク８５へ圧縮空気を送出する。これにより、香り発生装置８０は、タンク８５内の精油を揮発させるので、香りを発生させることができる。そして、香り制御部８１が、ブロア８６を動作させることにより、当該香りをエアチューブ８３Ｃを介してブロア８６から外部へ送出する。これにより、香り発生装置８０は、車内に香りを発生させることができる。【００４９】
また、香り発生装置８０では、上記タンク８５に香りアロマ以外に消臭材を蒸発する消臭源を保持しておき、当該消臭源に圧縮空気を送出し、消臭材を発生させ、当該消臭材をエアチューブ８３Ｃを介してブロア８６から外部へ送出する。これにより、香り発生装置８０は、車内を消臭することもできる。【００５０】
匂いセンサ９５は、車室内の香りの強さを測定し、例えば、消臭が確実になされているか、香り成分の量が所定値を超えていないか否かを判断するための情報をバスラインを通じてＣＰＵ２２または香り発生装置８０内の香り制御部８１に送信する。【００５１】
次に、図４を用いて香り発生装置８０の配置について説明する。車両内部の側面図である図４（ａ）に示すように、香り発生装置８０のブロア８６と本体８７とが分離して配置されており、具体的には、本体８７がトランクルームに配置され、ブロア８６がダッシュボード上に配置される。【００５２】
本体８７がトランクルームに配置されているので、香り発生装置８０は、直射日光による香料の変質を防止することができ、車内の高温による香料の揮発や、匂いの漏れも防止することができ、さらに、動作音が運転手等にそれほど伝わらないようにすることもできる。【００５３】
また、車両内部の上面図である図４（ｂ）に示すように、香り発生装置８０がブロア８６から送出させる香りを含んだ風は、直進し、距離に応じて拡散するので、運転手等乗員は、香りを短時間に感知することができる。【００５４】
換気装置９０は、車両の外気吸入口を開き、車室内へ送風すると共に、車両の前後左右の窓又は天井窓の少なくとも１つの窓の一部全てを開ける。これにより、ナビゲーション２００は、車内を換気することができる。【００５５】
［運転支援装置］
図５に運転支援装置３００の機能構成を示す。運転支援装置３００は、実体的には、ナビゲーション装置２００の構成要素により構成される。運転支援装置３００は、図示のように、ＧＰＳ受信機１８と、システムコントローラ２０と、データ記憶ユニット３６と、表示装置４０と、入力装置６０と、香り発生装置８０と、換気装置９０とを備える。データ記憶ユニット３６は、地図情報ＤＢ１２０を備える。システムコントローラ２０は、現在地情報取得部１０１と、ルート検索部１０２と、運転支援情報取得部１０４と、覚醒効果制御部１０５とを備える。即ち、システムコントローラ２０が所定のプログラムを実行することにより、現在地情報取得部１０１と、ルート検索部１０２と、運転支援情報取得部１０４と、覚醒効果制御部１０５とを実現する。地図情報ＤＢ１２０は、地点とエリアの対応関係が定義されている地図情報を保持するデータベースである。【００５６】
現在地情報取得部１０１は、ＧＰＳ受信機１８から現在地に対応する緯度経度情報や、緯度経度情報を取得した日時情報を取得する。ルート検索部１０２は、入力装置６０を介して指定された内容等に基づいて出発地点から目的地点までのルートを検索する。【００５７】
運転支援情報取得部１０４は、運転支援情報提供サーバ２５０へ、現在地情報取得部１０１が取得した緯度経度情報を送信するとともに、運転支援情報３６０の提供要求を行い、運転支援情報提供サーバ２５０から運転支援情報３６０を取得する。【００５８】
覚醒効果制御部１０５は、運転支援情報３６０の内容に基づいて、香り発生装置８０に対して香り発生要求を行ったり、消臭要求を行ったりすることにより、香り発生装置８０へ動作要求する。具体的な制御方法については、後述する。【００５９】
以上の構成を有する本実施例においては、香り発生装置８０が覚醒効果発生手段に対応する。【００６０】
［運転支援情報生成方法］
次に、運転支援情報提供サーバ２５０が、道路状況情報提供装置１００から取得した道路状況情報３５０を用いて運転支援情報３６０を生成する方法について説明する。【００６１】
運転支援情報生成方法とは、運転支援情報提供サーバ２５０が、道路状況情報提供装置１００から取得した道路状況情報３５０を保持し、所定のタイミングで保持している道路状況情報３５０について統計処理を行い、統計処理を行った結果である運転支援情報３６０を生成し、当該運転支援情報３６０を保持する方法をいう。【００６２】
最初に、道路状況情報提供装置１００は、上記の道路状況情報３５０を生成し、当該道路状況情報３５０を生成し、当該道路状況情報３５０を運転支援情報提供サーバ２５０へ送信する。【００６３】
まず、道路状況情報提供装置１００が、所定の走行距離毎に、道路状況センサ１１０から取得した情報を含む道路状況情報３５０を生成する。ここで、道路状況情報３５０のデータ構造を図６に示す。図６（ａ）に示すように、道路状況情報３５０は、日時３５１と、緯度経度３５２と、走行距離３５３と、速度３５４と、道路種別３５５と、道路状況センサ情報３５６とを有する情報である。【００６４】
具体的に、道路状況情報提供装置１００は、道路状況情報３５０の日時３５１をＧＰＳ装置１８から取得した日時情報とし、道路状況情報３５０の緯度経度３５２を道路状況情報提供装置１００におけるＧＰＳ装置１８から取得した緯度経度情報とし、走行距離３５３を距離センサ１３から取得した距離情報とし、速度３５４を道路状況情報提供装置１００における加速度センサ１１等を用いて算出した値とし、道路種別３５５をＧＰＳ装置１８から取得した緯度経度情報とデータ記憶ユニット３６内の地図情報とに基づいて取得した道路種別（例えば、国道、県道等）とし、道路状況センサ情報３５６を、道路状況センサ１１０から取得した情報（例えば、前方障害物情報等）とした道路状況情報３５０を生成する。そして、道路状況情報提供装置１００は、上記道路状況情報３５０を運転支援情報提供サーバ２５０へ送信する。【００６５】
道路状況センサ情報３５６の例を図６（ｂ）に示す。図示の通り、道路状況センサ情報には、「情報なし」、「前方障害物情報」、「前方状況情報」、「合流支援情報」、「渋滞情報」、及び「工事情報」等がある。【００６６】
「前方障害物情報」は、路肩に車両が止まった状態である等、進行方向に種々の障害物があることを意味する情報であり、「前方状況情報」は、カーブを曲がったすぐ先に車が止まっていることを意味する情報であり、「合流支援情報」は、合流先に関する情報であり、「渋滞情報」は、渋滞があることを意味する情報であり、「工事情報」は、工事があることを意味する情報である。【００６７】
また、「前方障害物情報」と「前方状況情報」と「合流支援情報」とを合わせて「危険注意情報」とも呼び、「渋滞情報」と「工事情報」とを合わせて「道路情報」とも呼ぶ。そして、図６（ｂ）に示す道路状況センサ情報の内、「情報なし」を除いた情報を「注意喚起情報」とも呼ぶ。【００６８】
そして、運転支援情報提供サーバ２５０は、道路状況情報提供装置１００から送受信部２５３を介して道路状況情報３５０を取得すると、当該道路状況情報３５０を記憶部２５２へ保存する。これにより、運転支援情報提供サーバ２５０は、道路状況情報３５０を保持することができる。【００６９】
そして、運転支援情報提供サーバ２５０は、所定のタイミングで保持している道路状況情報３５０について、日時３５１と、緯度経度３５２と、道路状況センサ情報３５６とを用いて、統計処理を行うことにより、エリア及び時間帯毎の、注意喚起情報を上記エリア内の道路状況センサ１１０から取得する確率である注意喚起情報取得確率を算出する。【００７０】
運転支援情報提供サーバ２５０が統計処理を行った結果である統計結果の例を図７に
示す。本実施例では、図示のように、エリア単位の各注意喚起情報の取得確率を有する情報を運転支援情報３６０とする。また、本実施例では、注意喚起情報の取得確率が注意喚起情報の関連情報に対応する。【００７１】
そして、運転支援情報提供サーバ２５０は、上記運転支援情報３６０を記憶部２５２に保存する。このように、運転支援情報提供サーバ２５０は、エリア単位の注意喚起情報の取得確率を含む運転支援情報３６０を保持することにより、運転支援装置３００から所定の位置情報（現在地やルート情報）を取得すれば、当該位置情報に対応するエリアの運転支援情報３６０や、当該位置情報に対応するエリアの周辺エリアの運転支援情報３６０を運転支援装置３００へ提供することができる。【００７２】
［運転支援方法］
次に、運転支援方法について説明する。ここで、運転支援方法とは、運転支援装置３００が、運転支援情報３６０を取得し、運転支援情報３６０の内容を参照した結果、注意喚起情報取得確率が閾値以上のエリアへと向かっている場合に、当該エリアの手前の地点（例えば、手前１０Ｋｍ地点）で、一度、運転支援装置３００を搭載している車内に香りを発生させて、上記エリアに入った後、注意喚起情報の種類に応じて香りを制御することをいう。【００７３】
まず、ルート検索部１０２は、運転支援装置３００に対する入力操作に応じて、ルート検索を行い、検索したルートを保持する。【００７４】
そして、現在地情報取得部１０１は、ＧＰＳ受信機１８から緯度経度情報及び、緯度経度情報を取得した日時情報を取得する。なお、上記現在地情報取得部１０１は、継続して緯度経度情報、及び緯度経度情報を取得した日時情報を取得するものとする。【００７５】
そして、運転支援情報取得部１０４は、運転支援情報提供サーバ２５０に対して、現在地情報取得部１０１が取得した緯度経度情報を送信すると共に運転支援情報３６０の提供要求を行い、運転支援情報提供サーバ２５０から上記緯度経度情報周辺のエリアに対応する運転支援情報３６０を取得する。【００７６】
そして、覚醒効果制御部１０５は、上記運転支援情報３６０の内容を読み取り、ルート情報に対応するエリアと、走行時間（現在地情報を取得した時刻）に対応する時間帯とに該当する各注意喚起情報取得確率が閾値（例えば、５０％）以上となるエリア（以下、注意喚起対象エリアとも呼ぶ）があるか否かを判別する。そして、覚醒効果制御部１０５は、判別した結果、注意喚起対象エリアがある場合において、現在地情報取得部１０１が取得する緯度経度情報に基づいて、運転支援装置３００を搭載する車両が上記注意喚起対象エリアの手前の所定位置（例えば、注意喚起対象エリアの手前１０Ｋｍ）に到達したことを検知すると、香り発生装置８０から香りを発生させる。【００７７】
図８を用いて、香りを発生させる個所の例について説明する。図８に示すように、注意喚起対象エリアの手前である地点Ｐ１に運転支援装置３００を搭載する車両が到達したことを運転支援装置３００が検知すると、覚醒効果制御部１０５は、香りを発生させる。【００７８】
ここで、上記車両が注意喚起対象エリアの手前である地点Ｐ１に達した後に、運転支援装置３００が発生させる香りのパターン例を図９に示す。【００７９】
覚醒効果制御部１０５は、所定時間毎（例えば、３分毎）に一定時間（例えば１分）香りを発生させる。覚醒効果制御部１０５は、香り発生装置８０に対して香り発生要求を行うことにより、香りを発生させる期間中、エアポンプ８２が連続的に駆動する。そして、覚醒効果制御部１０５は、香り発生装置８０に対して香り発生要求を行うことにより、香りを発生させる期間中、ブロア８６が駆動と停止とを繰り返す。【００８０】
これにより、覚醒効果制御部１０５は、香り発生装置８０に対して、いわゆる揺らぎを設けて香りを車内に発生させることができる。【００８１】
そして、運転支援装置３００を搭載した車両が、図８の地点Ｐ２のように、注意喚起対象エリアに到達すると、覚醒効果制御部１０５が、香り発生装置８０に対して、消臭要求を行ない、車内の香りを消臭させる。なお、同時に換気装置９０を動作させるようにしても良い。【００８２】
そして、注意喚起対象エリアに該当する情報が危険注意情報である場合、覚醒効果制御部１０５は、消臭したままとし、注意喚起対象エリアに該当する情報が道路情報である場合、覚醒効果制御部１０５は、地点Ｐ１から地点Ｐ２までと同様に、香り発生装置８０に対して揺らぎを設けて車内に香りを発生させる。【００８３】
このように、運転支援装置３００は、注意喚起対象エリアの手前で香りを発生させることにより注意喚起を行い、車両が注意喚起対象エリアに入った後に、再度、所定の注意喚起を行なう。従って、運転支援装置３００は、渋滞等の位置に到達してから香りを発生する場合に比して、運転手に対して効果的な注意喚起を行うことができる。【００８４】
また、運転支援装置３００は、香り発生装置８０を用いて車内に香りを発生させることにより、覚醒効果を起こしている。これによれば、運転支援装置３００は、他の覚醒効果（振動や音等）に比して、覚醒効果を長く持続させることができる。【００８５】
そして、上記の運転支援装置３００は、渋滞情報だけではなく、前方障害物情報等についても提供するので、渋滞情報のみを提供する場合に比して、より多くの情報を利用者に提供することができる。【００８６】
そして、上記の運転支援装置３００は、注意喚起対象エリアに該当する情報が危険注意情報である場合、覚醒効果制御部１０５は、注意喚起対象エリア内において、車内を消臭した状態を保っている。この場合、運転支援装置３００は、覚醒効果を停止することにより、危険度が高いにも関わらず、覚醒効果によって、運転手が運転に集中できない状態になってしまうことを防ぐことができる。【００８７】
そして、運転支援情報３６０は、注意喚起情報取得確率を時間帯毎に有している。これによれば、運転支援装置３００は、走行している時間帯に基づいて、覚醒効果を発生させるか否かを判断することができ、時間帯毎で注意喚起情報を取得する可能性が大きく異なる場合に、不要に覚醒効果を発生させることを回避することができる。【００８８】
［運転支援処理］
以下に、運転支援処理の手順について図１０に示すフローチャートを用いて説明する。この処理は、運転支援装置３００のシステムコントローラ２０が、予め用意されたプログラムを実行することにより実現される。【００８９】
最初に、ルート検索部１０２は、利用者の入力操作等により、ルートを検索する（ステップＳ１）。そして、現在地情報取得部１０１は、ＧＰＳ受信機１８を介して緯度経度情報及び、緯度経度情報取得日時を取得する（ステップＳ２）。なお、現在地情報取得部１０１は、継続して所定の間隔で緯度経度情報、及び緯度経度情報取得日時を取得し続ける。そして、運転支援情報取得部１０４は、運転支援提供情報サーバ２５０に対して、上記現在地情報取得部１０１が取得した緯度経度情報を送信すると共に、運転支援情報３６０の提供要求を行ない、運転支援情報提供サーバ２５０から運転支援情報３６０を取得する（ステップＳ３）。【００９０】
そして、覚醒効果制御部１０５は、運転支援情報提供サーバ２５０から取得した運転支援情報３６０を参照し、ルート情報に対応するエリアと、走行時間（現在地情報を取得した時刻）に対応する時間帯とに該当する各注意喚起情報取得確率が閾値以上となる注意喚起対象エリアがあるか否かを判別し、上記注意喚起対象エリアが存在しない場合（ステップＳ４；Ｎｏ）、運転支援処理を終了し、注意喚起対象エリアが存在する場合（ステップＳ４；Ｙｅｓ）、覚醒効果制御部１０５は、注意喚起対象エリアを特定し、運転支援処理を続行する。【００９１】
そして、覚醒効果制御部１０５は、現在地情報取得部１０１が取得した緯度経度情報を参照することにより、注意喚起対象エリアの手前１０Ｋｍに到達しているか否か判定する（ステップＳ５）。そして、覚醒効果制御部１０５は、注意喚起対象エリアの手前１０Ｋｍに到達している場合（ステップＳ５；Ｙｅｓ）、香り発生装置８０に対して香り発生要求を行い、香り発生装置８０に対して揺らぎを設けて、車内に香りを発生させる（ステップＳ６）。【００９２】
そして、覚醒効果制御部１０５は、現在地情報取得部１０１が取得した緯度経度情報を参照することにより、注意喚起対象エリアに到達したか否かを判定した結果、注意喚起対象エリアに到達している場合（ステップＳ７；Ｙｅｓ）、香り発生装置８０に対して消臭動作要求を行い、香りを消臭させる（ステップＳ８）。【００９３】
そして、覚醒効果制御部１０５は、上記注意喚起対象エリアに対応する注意喚起情報が道路情報のみではない場合（ステップＳ９；Ｎｏ）、運転支援処理を終了し、上記注意喚起対象エリアに対応する注意喚起情報が道路情報のみである場合（ステップＳ９；Ｙｅｓ）、香り発生装置８０に対して香り発生要求を行い、香り発生装置８０に対して揺らぎを設けて車内に香りを発生させ（ステップＳ１０）、運転支援装置３００を搭載した車両が上記注意喚起対象エリアを出た場合、香り発生装置８０に対して消臭要求を行い、香りを消臭させ（ステップＳ１１）、運転支援処理を終了する。【００９４】
以上の構成によれば、運転支援装置３００は、現在地情報を取得する現在地情報取得手段と、エリアに対応する複数種類の注意喚起情報と、注意喚起情報の関連情報とを含む運転支援情報を取得する運転支援情報取得手段と、覚醒効果を発生させる覚醒効果発生手段と、運転支援情報取得手段が取得した注意喚起情報の関連情報に基づいて注意喚起対象エリアを特定すると共に現在地情報を用いて位置を特定し、注意喚起対象エリアより手前の位置では、覚醒効果を発生させ、注意喚起対象エリア内では、注意喚起情報の種類に基づいて覚醒効果の動作を制御する覚醒効果制御手段と、を備える。【００９５】
このように、運転支援装置３００は、現在地周辺のエリアに関する運転支援情報を取得し、当該運転支援情報の内容に基づいて注意喚起対象のエリアを特定し、運転支援装置を搭載する車両が注意喚起対象のエリアに到達する前に、覚醒効果を発生させることができるので、早期に運転手に対して注意を促すことができる。【００９６】
［変形例等］
［射出部の変形例］
上述の実施例では、ブロア８６が香り射出手段として機能しているが、エアチューブ８３Ｃとブロア８６との間に香りを一時的に溜める容器８８、及びブロア８６とからなる射出部８９を香り射出手段とするようにしても良い。【００９７】
ここで、射出部８９の例を図１１に示す。射出部８９は、図示の通り、ブロア８６と、容器８８とから構成される。当該容器８８は、エアチューブ８３Ｃとブロア８６との間に香りを一時的に溜める。香り制御部８１は、ブロア８６を回転させることにより、容器８８の中に負圧を発生させる。そうすると、香り発生装置８０は、香り発生部８１が発生させた香りを射出部８９へ吸い上げることができる。従って、香り発生装置８０は、負圧をかけることにより芳香分子を効率的に導出できる。なお、容器８８には容器外からの空気を通す穴を設けており、香り発生装置８０は、負圧の調整を行うことができる。【００９８】
また、射出部８９におけるブロア８６の配置位置は、乗車室とトランクルーム間の仕切り板上の中央位置から３０センチ以内の範囲内であることが望ましい。【００９９】
［配置位置に関する詳細説明及び変形例］
上述の実施例では、本体８７がトランクルームに配置され、ブロア８６がダッシュボード上に配置されることについて記載したが、以下に配置例の詳細について説明する。【０１００】
本体８７及び射出部８９の配置位置の例を図１２に示す。本体８７がバックドアを閉じた時に遮光可能なトランクルームの床上に配置され、射出部８９が乗員室とトランクルーム間の仕切り板上（例えば、リアのダッシュボード上）の中央部に配置されている。【０１０１】
上記の例の場合、射出部８９が乗車室とトランクルーム間の仕切り板上の中央部に配置されているため、射出部８９が射出した空気が、乗車室のシートの背もたれ部に遮られることなく、左右のシートの合間を通して乗員に香りを提供することができ、シート表面に香りが付着してしまうことを防止することもできる。【０１０２】
また、射出部８９の配置位置の高さが、乗員の顔の高さ付近となり、香り発生装置８０は、乗員に対して香りを最短距離で提供することになるので、乗員に対して最も香りを強く感知させることができる。従って、香り発生装置８０は少量の香りを射出しても、乗員に対して香りを感知させることができる。【０１０３】
さらに、香り発生装置８０は、本体８７と射出部８９との距離が短いので、香り発生部８１と射出部８９とを接続するエアチューブ８３Ｃを短くすることができる。よって、香り発生装置８０は、香りを発生させた際に、エアチューブ８３Ｃに付着する香料の芳香分子の量を減らすことができる。【０１０４】
配置に関する別の例について、図１３に示す。この場合、本体８７がスペアタイヤ収納部とトランクルームの床の間の間隙部分に配置され、射出部８９が運転席後方部の天井位置に配置されている。【０１０５】
この例でも、香り発生装置８０は、本体８７が乗員室と隔離された遮光空間に配置されているので、車室内の温度上昇や直射日光の影響を受けて、本体８７内の精油を揮発させてしまうことを防止することができる。【０１０６】
また、香り発生装置８０は、射出部８９が運転席後方の天井位置に配置されているので、射出部８９が射出した香りがシートの背もたれ部に遮られることを防止することができる。【０１０７】
なお、本体８７については、図１４（ａ）及び図１４（ｂ）に示すように、本体８７をスペアタイヤ収納部の間隙部分に配置するようにしても良い。【０１０８】
この場合でも、香り発生装置８０は、本体８７が乗員室と隔離された遮光空間に配置されているので、車室内の温度上昇や直射日光の影響を受けて、香り発生部８１内の精油を揮発させてしまうことを防止することができる。【０１０９】
［制御方法の変形例］
上述のように、システムコントローラ２０によって実現される覚醒効果制御部１０５が、注意喚起情報取得確率の高いエリアに近づいていると判断した際に、香り発生装置８０に対して、香り発生要求を行う。即ち、覚醒効果制御部１０５が、運転支援装置３００の位置（いわゆる位置情報）と、走行予定エリアの道路状況情報である運転支援情報３６０（いわゆる道路情報）とに基づいて、香り発生の制御を行っている場合について述べたが、以下に記載する種々の状況に応じて、覚醒効果制御部１０５が香り発生要求を行うようにしても良い。【０１１０】
（例１）利用者の入力情報に基づいて制御
覚醒効果制御部１０５は、利用者による所定操作（例えば、入力装置６０の操作）に基づいた香り発生命令の取得に応じて、香り発生装置８０の香り制御部８１に対して、香り発生要求を行うようにしても良い。【０１１１】
（例２）車両の挙動情報に基づいて制御
覚醒効果制御部１０５は、車両の挙動情報に基づいて香り発生装置８０の香り制御部８１に対して、香り発生要求を行うようにしても良い。【０１１２】
ここで、車両の挙動情報とは、自立測位装置１０やＧＰＳ受信機１８等から取得した各種情報に基づいて生成した情報を意味する。【０１１３】
具体例として、一定時間以上（例えば、１分）の停止状態や、進行方向における所定以上の急加速（例えば、０．３Ｇ）や、急減速（例えば、−０．３Ｇ）や、横方向における急ハンドル操作や、一定時間内（例えば、１５分）における所定速度以下（例えば、２０Ｋｍ／ｈ）を条件としたときの停止・走行の繰り返しや、所定回数（例えば、５０回）の断続運転を検出した際に、香り制御部８１に対して、香り発生要求を行う。【０１１４】
（例３）車両の挙動情報と位置情報に基づいて制御
覚醒効果制御部１０５が、車両の挙動情報と、車両位置情報とに基づいて香り発生要求を行うようにしても良い。具体例として、現在地が、交差点や踏み切り周辺に位置している場合において、一定期間（例えば、１分）停止している場合に、覚醒効果制御部１０５が香り発生要求を行う。なお、車両位置情報は、地図情報やＧＰＳ受信機１８等から取得した情報を用いて特定する。【０１１５】
（例４）車両の挙動情報と位置情報と交通情報に基づいて制御
覚醒効果制御部１０５が、車両の挙動情報と、車両位置情報と、交通情報（例えば、渋滞情報等）とに基づいて香り発生要求を行うようにしても良い。具体例として、上記の運転支援情報３６０や他の道路情報（ＶＩＣＳ情報等）と、現在位置情報（例えば、ＧＰＳ受信機１８から取得した情報）とに基づいて、現在位置が渋滞個所であると判別できる際に、車両が一定時間以上（例えば、１分）停止状態である場合に、覚醒効果制御部１０５が香り発生要求を行う。【０１１６】
ここで、覚醒効果制御部１０５が、車両の挙動情報等に基づいて、香り発生要求を行う香り要求制御処理の手順について、図１５に示すフローチャートに基づいて説明する。この処理は、運転支援装置３００のシステムコントローラ２０が、予め用意されたプログラムを実行することにより実現される。【０１１７】
最初に、覚醒効果制御部１０５は、利用者から、香り発生要求に関する入力操作があったか否かを判別し（ステップＳ２１）、香り発生要求に関する入力操作があった場合には（ステップＳ２１；Ｙｅｓ）、香り発生装置８０に対して香り発生要求を行い、香り発生装置８０が香りを発生する（ステップＳ２２）。【０１１８】
そして、覚醒効果制御部１０５は、現在地情報取得部１０１が取得した現在地情報等を参照し、車両が１分以上停止しているか否か判別し（ステップＳ２３）、車両が１分以上停止している場合には（ステップＳ２３；Ｙｅｓ）、香り発生装置８０に対して香り発生要求を行い、香り発生装置８０が香りを発生する（ステップＳ２４）。【０１１９】
そして、覚醒効果制御部１０５は、自立測位装置１０等が提供した情報に基づいて、進行方向に０．３Ｇ以上の加速度があったか否かを判別し（ステップＳ２５）、進行方向に０．３Ｇ以上の加速度があった場合には（ステップＳ２５；Ｙｅｓ）、香り発生装置８０に対して香り発生要求を行い、香り発生装置８０が香りを発生する（ステップＳ２６）。【０１２０】
そして、覚醒効果制御部１０５は、自立測位装置１０又はＧＰＳ受信機１８から取得した情報等を用いて、時速２０キロ内での走行回数が５０回以上であるか否かを判別し（ステップＳ２７）、時速２０キロ内での走行回数が５０回以上になった場合には（ステップＳ２７；Ｙｅｓ）、香り発生装置８０に対して香り発生要求を行い、香り発生装置８０が香りを発生する（ステップＳ２８）。【０１２１】
そして、電源が切られる等により制御終了になった場合（ステップＳ２９；Ｙｅｓ）、香り要求制御処理を終了する。【０１２２】
上記のように、覚醒効果制御部１０５は、所定のイベント（利用者による入力、車両の挙動状態の変化等）が発生した場合のみ、香りを発生させているので、頻繁に香りを発生させることにより、エアチューブ等に付着する香料の量が多くなり、付着した香料が揮発して不要に香りを発生させてしまうことを回避することができる。【０１２３】
また、上述のように香りを発生させるタイミングとして、交差点前、踏み切り前、渋滞など、不快な状況を設定している。上記のような場面で乗員が苦痛を経験していると、その地点に近づく頃から精神的な負担を感じる。匂いは、そのときの経験とともに脳に記憶される特性がある。不快な場面において、芳香の心地よい経験と合わせると、記憶の書き換えが行われる。これにより、香り発生装置８０は、日常のドライブにおける不快なイメージ場面を解消する効果が期待できる。【０１２４】
また、運転支援装置３００は、図示しない設定画面等を提示し、上述の所定のイベントに対して香りを発生させるか否かについてや、発生するとしたらどの香りが良いかについて等（例えば、ミント、ユーカリ、イランイランの３種類から選択する等）を、利用者に設定させるようにしても良い。この場合、運転支援装置３００のシステムコントローラ２０が、設定画面の提示や利用者の設定内容の保持等を行う香り設定手段として機能することにより、実現できる。なお、上記香り設定手段は、上記イベントの設定もできるようにしても良い。【０１２５】
これにより、運転支援装置３００は、香り発生対象のイベントの定義や、発生させる香りの種類を利用者に決定させることができる。【０１２６】
以上の構成によれば、車載用の香り発生装置では、香りを生成する香り生成手段と、香り生成手段が生成した香りを外部へ射出する香り射出手段と、香り発生に関する制御を行う香り制御手段と、を備え、香り生成手段が、所定の遮光空間に配置されている。【０１２７】
香り発生装置では、香り制御手段による制御に応じて、香り生成手段が香りを発生させ、香り射出手段が、当該香りを外部に射出することにより、香りを提供している。そして、上記香り生成手段は、所定の冷暗所に配置されている。【０１２８】
このように、香り発生装置は、香料を有する香り生成手段を冷暗所（トランクルーム内部等）に配置しているので、直射日光による香料の変質を防止することができ、車内の高温による香料の揮発や、匂いの漏れも防止することができ、さらに、動作音が運転手等にそれほど伝わらないようにすることもできる。【０１２９】
香りを生成する本体８７を、上述のような遮光空間に配置することは、精油の変性を防止する効果もある。精油の成分は有機化合物であり、光や温度によって酸化などの化学反応がおこり、成分が変性することがある。アロマテラピーの領域で知られているように、精油の成分は、人に対してさまざまな生理活性作用を及ぼし、また除菌や抗菌などの空気を浄化する成分を多く含むものがある。ここで、精油の種類とそれらの成分組成が非常に重要であるが、この成分が変性すると、期待する効果が得られなくなってしまう。この意味で、精油に対する遮光や高温にさらさないことは大きな利点となる。【０１３０】
また、車室内への匂いの漏れの遮蔽、本体８７の動作音の遮蔽効果がある。香り発生装置８０の本体８７を車室内に配置した場合、子供など乗員にいじられて、タンク８５内の香料がこぼれる心配がない。仮に香料がこぼれても、本体８７がスペアタイヤ収納部などに位置していれば、香り発生装置８０は、匂いの漏れによる乗員室へ影響を最小限にすることができる。【０１３１】
なお、香料は、カートリッジ内におさめられているものとする。車両の振動によって液漏れしないように、固形（ビーズ、パウダー、ゲル状）の香料を使っても良い。トランクルームには、食品など入れることが多く、香料の固形化による匂い漏れ防止は有効である。同じ香料を入れ替える場合には、カートリッジを交換する。別の香料に変える場合には、カートリッジとエアチューブを交換する。【０１３２】
なお、カートリッジの情報は、香り制御部８１に送信される。カートリッジの情報は、例えば、芳香物質名称、香り物質の残量、使用開始日、など管理上必要な情報が含まれている。ＣＰＵ２２は、カートリッジに関する情報を用いて、カートリッジの交換のお知らせを利用者に通知することも可能である。【０１３３】
香り発生装置８０では、香料の種類の数に応じて、複数のエアチューブ８３を平行して配置することが望ましい。これにより、香り発生装置８０では、香りが混ざってしまうということを回避することができる。また、エアチューブ８３の材質は、芳香分子の付着が少ない点で、テフロン素材が望ましい。【０１３４】
上記ブロア８６は、容器８８内の空気を吸い上げ、当該空気を射出方向に送り出す。空気を吸い上げるために、容器８８には、すきま穴を開けている。これにより、香り発生装置８０は、容器８８にすきま穴がないことにより容器内の気圧が下がり風が出なくなってしまうことを回避することができる。【０１３５】
また、運転支援装置３００は、香りを所定時間発生した後に、エアチューブ８３Ｃの中に残っている香り（芳香分子）を除去するために一定量の消臭剤を射出するようにしても良い。この場合、運転支援装置３００は、消臭剤を射出することにより、次回別の香りを射出する際に前回の香りと混合してしまうことを防止することができる。【０１３６】
［他の実施例］
上述の実施例では、運転支援装置３００が、運転支援情報提供サーバ２５０に対して現在地情報を送信すると共に運転支援情報３６０の提供要求を行う場合について述べたが、本発明は、これに限られず、運転支援装置３００が、運転支援情報提供サーバ２５０に対してルート情報を送信すると共に運転支援情報３６０の提供要求を行うようにしても良い。【０１３７】
上述の実施例では、運転支援装置３００が、運転支援情報提供サーバ２５０に対して、現在地情報を送信すると共に運転支援情報３６０の提供要求を行う場合について述べたが、本発明は、これに限られず、現在地情報を送信せずに、運転支援情報３６０の提供要求を行うようにしても良い。【０１３８】
上述の実施例では、運転支援装置３００の運転支援情報取得部１０４が、運転支援情報提供サーバ２５０から運転支援情報３６０を取得する場合について述べたが、本発明は、これに限られず、運転支援情報提供サーバ２５０等からダウンロードした全エリアの運転支援情報３６０を予めデータ記憶ユニット３６に保持しておき、運転支援情報取得部１０４がデータ記憶ユニット３６内の運転支援情報３６０を取得するようにしても良い。【０１３９】
上述の実施例では、運転支援装置３００は、車両が注意喚起対象エリアに到達する前や、注意喚起対象エリア内に到達した際に、香りを発生させる場合について述べたが、本発明は、これに限られず、ハンドルに振動を与えたり、音声を出力したり、香りと音声等を組み合わせたりするようにしても良い。【０１４０】
上述の実施例では、運転支援装置３００は、ルート情報に基づいて、対応エリアを判別する場合について述べたが、本発明は、これに限られず、現在位置に基づいて、対応エリアを判別するようにしても良い。【０１４１】
上述の実施例では、香り発生装置８０が消臭材を用いて消臭する場合について述べたが、本発明は、これに限られず、換気装置９０を用いて消臭するようにしても良い。【０１４２】
上述の実施例では、特に記載しなかったが、注意喚起対象エリアが２つ存在し、当該注意喚起対象エリア同士が近い場合、運転支援装置３００は、以下のように、覚醒効果を制御する（先に通過する注意喚起対象エリアを「先の注意喚起対象エリア」、後に通過する注意喚起対象エリアを「後の注意喚起対象エリア」とする。）。【０１４３】
（方針１）車両が先の注意喚起対象エリアの手前を走行中に、運転支援装置３００が香りを発生させ、先の注意喚起対象エリア中で継続して香りを発生させている場合は、後の注意喚起対象エリアの手前で香りを発生させる。【０１４４】
（方針２）車両が、先の注意喚起対象エリアの手前を走行中に、運転支援装置３００が香りを発生させ、先の注意喚起対象エリア内では、香りを停止している場合は、後の注意喚起対象エリアの手前で香りを発生させない。これは、先の注意喚起対象エリア中で香りを停止していることを重視するためである。【０１４５】
（方針３）車両が、先の注意喚起対象エリアの手前を走行中に、運転支援装置３００が香りを発生させていない場合、後の注意喚起対象エリアの手前で香りを発生させる。【０１４６】
上述の実施例では、特に述べていなかったが、タンク８５で保持している精油は、図１６に示す精油の表における、揮発速度による分類のうちトップノート（揮発速度が速いグループ）に分類される精油（天然の植物から抽出された芳香物質）、もしくは同等の揮発性（香料成分の分子量に相当）をもつ合成香料とすることが望ましい。【０１４７】
上述の実施例では、特に述べていなかったが、エアチューブ８３Ｃの一部を、シート内のシートヒータ上若しくは当該シートヒータの近傍に位置するようにしても良い。エアチューブ８３Ｃをシートヒータの近傍に配置した場合の例を図１７に示す。【０１４８】
この場合、シートヒータが動作していれば、エアチューブ８３Ｃの温度が上昇するので、香り発生装置８０は、エアチューブ８３Ｃ表面に付着した芳香分子を離脱させることができ、エアチューブ８３Ｃについた匂いを除去することができる。【０１４９】
これにより、香り発生装置８０は、乗員がエアチューブ８３Ｃに残った匂いを感知してしまうことを回避することができる。なお、覚醒効果制御部１０５が、香り発生要求を行う際には、香りを含む空気が温まらないようにシートヒータの動作を止めるようにしても良い。【０１５０】
上述の実施例では、特に述べていなかったが、香り発生装置８０が射出した香りを図１８に示すように、エアコンが発生させた風の対流に乗せることにより、乗員に香りを効果的に伝播することができる。【０１５１】
上述の実施例では、特に述べていなかったが、図１９に示すように、香料のタンク８５出口の後（タンク８５とブロア８６の間）に、電磁弁９２を追加し、香り制御部８１が、上記電磁弁９２を制御するようにしても良い。【０１５２】
この場合、香り発生装置８０は、上記電磁弁９２を閉めることにより、香料を外部の空気と完全に遮断することができる。精油は複数の有機化合物を成分に持つことにより、空気に触れることで酸化するので変性し、香りが変わってしまうことがある。上述のように、香り発生装置８０は、電磁弁９２を閉めることにより、香りが変わってしまうことを防止することができる。【０１５３】
上述の実施例では、システムコントローラ２０の覚醒効果制御部１０５が香り制御部８１に対して、香り発生要求を行う場合について述べたが、本発明は、これに限られず、システムコントローラ２０の覚醒効果制御部１０５自体が香り制御手段として機能するようにしても良い。この場合、システムコントローラ２０が、エアポンプ８２、電磁弁８４、ブロア８６を統括制御する。【０１５４】
なお、本実施例における、本体８７から香り制御部８１を除いた構成要素（即ち、エアポンプ８２、電磁弁８４、エアチューブ８３、電磁弁８４、及びタンク８５）が、香り発生手段として機能する。
【産業上の利用可能性】
【０１５５】
本発明は、車載の香りを発生する装置について利用することができる。
【図１】
2009037873.tif 000003
【図２】
2009037873.tif 000004
【図３】
2009037873.tif 000005
【図４】
2009037873.tif 000006
【図５】
2009037873.tif 000007
【図６】
2009037873.tif 000008
【図７】
2009037873.tif 000009
【図８】
2009037873.tif 000010
【図９】
2009037873.tif 000011
【図１０】
2009037873.tif 000012
【図１１】
2009037873.tif 000013
【図１２】
2009037873.tif 000014
【図１３】
2009037873.tif 000015
【図１４】
2009037873.tif 000016
【図１５】
2009037873.tif 000017
【図１６】
2009037873.tif 000018
【図１７】
2009037873.tif 000019
【図１８】
2009037873.tif 000020
【図１９】
2009037873.tif 000021
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
車両に搭載される端末装置から供給される道路状況情報を管理するサーバと電磁的に接続する車載用の香り発生装置であって、
香りを生成する香り生成手段と、
前記香り生成手段が生成した香りを外部へ射出する香り射出手段と、
香り発生に関する制御を行う香り制御手段と、
消臭手段又は換気手段と、
を備え、
前記サーバは、前記道路状況情報のうち、当該道路状況情報に前記注意喚起情報が含まれる確率を所定のエリア及び所定の時間帯ごとに算出し、
前記香り制御手段は、前記サーバから前記確率を含む情報を取得し、当該確率が所定の閾値以上のエリアに所定距離以上近づいた場合、香りを発生させると共に、前記確率が所定の閾値以上のエリアに到達した場合、前記消臭手段又は換気手段により消臭又は換気を行うことを特徴とする香り発生装置。
【請求項２】
前記香り生成手段は、香料として精油を用いて香りを生成することを特徴とする請求項１に記載の香り発生装置。
【請求項３】
前記香り生成手段は、所定の冷暗所に配置されており、
前記冷暗所は、トランクルームの床上であることを特徴とする請求項１又は２に記載の香り発生装置。
【請求項４】
前記香り生成手段は、所定の冷暗所に配置されており、
前記冷暗所は、スペアタイヤ収納部の間隙、スペアタイヤ収納部とトランクルームの床の間の間隙部分、トランクルーム床下の荷物収容用に設けられた空間のいずれかであることを特徴とする請求項１又は２に記載の香り発生装置。
【請求項５】
前記香り射出手段は、運転席後方部の乗車室とトランクルーム間の仕切り板上の中央部に配設されていることを特徴とする請求項１乃至４のいずれか一項に記載の香り発生装置。
【請求項６】
前記香り射出手段は、運転席後方部の天井位置に配設されていることを特徴とする請求項１乃至４のいずれか一項に記載の香り発生装置。
【請求項７】
前記香り制御手段は、所定のイベントが発生した際に、香りを発生させることを特徴とする請求項１乃至６のいずれか一項に記載の香り発生装置。
【請求項８】
車両の挙動情報に基づいて、前記イベントの発生有無を決定することを特徴とする請求項７に記載の香り発生装置。
【請求項９】
車両の挙動情報と位置情報とに基づいて、前記イベントの発生有無を決定することを特徴とする請求項７に記載の香り発生装置。
【請求項１０】
車両の挙動情報と位置情報と交通情報とに基づいて、前記イベントの発生有無を決定することを特徴とする請求項７に記載の香り発生装置。
【請求項１１】
利用者の要求に基づいて、前記イベントの発生有無を決定することを特徴とする請求項７に記載の香り発生装置。
【請求項１２】
前記イベントと、前記発生する香りとを設定する、香り設定手段をさらに備えることを特徴とする請求項７乃至１１のいずれか一項に記載の香り発生装置。
【請求項１３】
前記香り生成手段と、前記香り射出手段との接続部分に電磁弁を備えていることを特徴とする請求項１乃至１２のいずれか一項に記載の香り発生装置。
【請求項１４】
前記香り射出手段は、前記香りを一時的に滞留させる香り滞留手段を有し、前記滞留させた香りを射出し、
前記香り滞留手段には該香り滞留手段の外部から空気を通すための穴が設けられていることを特徴とする請求項１に記載の香り発生装置。
【請求項１５】
前記香り制御手段は、前記香り生成手段が香りを生成しているときに前記香り射出手段に対して外部へ断続的に前記香りを射出する制御を行うことを特徴とする請求項１に記載の香り発生装置。
【請求項１６】
前記香り制御手段は、前記確率が所定の閾値以上のエリアに到達した場合、前記消臭手段又は換気手段により消臭又は換気を行った後、当該エリアに該当する注意喚起情報が道路情報のみから構成される場合には香りを発生させ、前記注意喚起情報が危険度の高いことを示す情報を含む場合には香りの発生を抑制することを特徴とする請求項１に記載の香り発生装置。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
車両に搭載される端末装置から供給される道路状況情報を管理するサーバと電磁的に接続する車載用の香り発生装置であって、
香りを生成する香り生成手段と、
前記香り生成手段が生成した香りを外部へ射出する香り射出手段と、
香り発生に関する制御を行う香り制御手段と、
消臭手段又は換気手段と、
を備え、
前記サーバは、前記道路状況情報のうち、当該道路状況情報に前記注意喚起情報が含まれる確率を所定のエリア及び所定の時間帯ごとに算出し、
前記香り制御手段は、前記サーバから前記確率を含む情報を取得し、当該確率が所定の閾値以上のエリアに所定距離以上近づいた場合、香りを発生させると共に、前記確率が所定の閾値以上のエリアに到達した場合、前記消臭手段又は換気手段により消臭又は換気を行うことを特徴とする香り発生装置。
【請求項２】
前記香り生成手段は、香料として精油を用いて香りを生成することを特徴とする請求項１に記載の香り発生装置。
【請求項３】
前記香り生成手段は、所定の冷暗所に配置されており、
前記冷暗所は、トランクルームの床上であることを特徴とする請求項１又は２に記載の香り発生装置。
【請求項４】
前記香り生成手段は、所定の冷暗所に配置されており、
前記冷暗所は、スペアタイヤ収納部の間隙、スペアタイヤ収納部とトランクルームの床の間の間隙部分、トランクルーム床下の荷物収容用に設けられた空間のいずれかであることを特徴とする請求項１又は２に記載の香り発生装置。
【請求項５】
前記香り射出手段は、運転席後方部の乗車室とトランクルーム間の仕切り板上の中央部に配設されていることを特徴とする請求項１乃至４のいずれか一項に記載の香り発生装置。
【請求項６】
前記香り射出手段は、運転席後方部の天井位置に配設されていることを特徴とする請求項１乃至４のいずれか一項に記載の香り発生装置。
【請求項７】
前記香り制御手段は、所定のイベントが発生した際に、香りを発生させることを特徴とする請求項１乃至６のいずれか一項に記載の香り発生装置。
【請求項８】
車両の挙動情報に基づいて、前記イベントの発生有無を決定することを特徴とする請求項７に記載の香り発生装置。
【請求項９】
車両の挙動情報と位置情報とに基づいて、前記イベントの発生有無を決定することを特徴とする請求項７に記載の香り発生装置。
【請求項１０】
車両の挙動情報と位置情報と交通情報とに基づいて、前記イベントの発生有無を決定することを特徴とする請求項７に記載の香り発生装置。
【請求項１１】
利用者の要求に基づいて、前記イベントの発生有無を決定することを特徴とする請求項７に記載の香り発生装置。
【請求項１２】
前記イベントと、前記発生する香りとを設定する、香り設定手段をさらに備えることを特徴とする請求項７乃至１１のいずれか一項に記載の香り発生装置。
【請求項１３】
前記香り生成手段と、前記香り射出手段との接続部分に電磁弁を備えていることを特徴とする請求項１乃至１２のいずれか一項に記載の香り発生装置。
【請求項１４】
前記香り射出手段は、前記香りを一時的に滞留させる香り滞留手段を有し、前記滞留させた香りを射出し、
前記香り滞留手段には該香り滞留手段の外部から空気を通すための穴が設けられていることを特徴とする請求項１に記載の香り発生装置。
【請求項１５】
前記香り制御手段は、前記香り生成手段が香りを生成しているときに前記香り射出手段に対して外部へ断続的に前記香りを射出する制御を行うことを特徴とする請求項１に記載の香り発生装置。
【請求項１６】
前記香り制御手段は、前記確率が所定の閾値以上のエリアに到達した場合、前記消臭手段又は換気手段により消臭又は換気を行った後、当該エリアに該当する注意喚起情報が道路情報のみから構成される場合には香りを発生させ、前記注意喚起情報が危険度の高いことを示す情報を含む場合には香りの発生を抑制することを特徴とする請求項１に記載の香り発生装置。
【手続補正２】
【補正対象書類名】明細書
【補正対象項目名】０００６
【補正方法】変更
【補正の内容】
【０００６】
請求項１に記載の発明は、車両に搭載される端末装置から供給される道路状況情報を管理するサーバと電磁的に接続する車載用の香り発生装置であって、香りを生成する香り生成手段と、前記香り生成手段が生成した香りを外部へ射出する香り射出手段と、香り発生に関する制御を行う香り制御手段と、消臭手段又は換気手段と、を備え、前記サーバは、前記道路状況情報のうち、当該道路状況情報に前記注意喚起情報が含まれる確率を所定のエリア及び所定の時間帯ごとに算出し、前記香り制御手段は、前記サーバから前記確率を含む情報を取得し、当該確率が所定の閾値以上のエリアに所定距離以上近づいた場合、香りを発生させると共に、前記確率が所定の閾値以上のエリアに到達した場合、前記消臭手段又は換気手段により消臭又は換気を行うことを特徴とする。
【手続補正３】
【補正対象書類名】明細書
【補正対象項目名】０００９
【補正方法】変更
【補正の内容】
【０００９】
本発明の１つの観点では、車両に搭載される端末装置から供給される道路状況情報を管理するサーバと電磁的に接続する車載用の香り発生装置であって、香りを生成する香り生成手段と、前記香り生成手段が生成した香りを外部へ射出する香り射出手段と、香り発生に関する制御を行う香り制御手段と、消臭手段又は換気手段と、を備え、前記サーバは、前記道路状況情報のうち、当該道路状況情報に前記注意喚起情報が含まれる確率を所定のエリア及び所定の時間帯ごとに算出し、前記香り制御手段は、前記サーバから前記確率を含む情報を取得し、当該確率が所定の閾値以上のエリアに所定距離以上近づいた場合、香りを発生させると共に、前記確率が所定の閾値以上のエリアに到達した場合、前記消臭手段又は換気手段により消臭又は換気を行う。
【手続補正４】
【補正対象書類名】明細書
【補正対象項目名】００１２
【補正方法】変更
【補正の内容】
【００１２】
上述のように、香り発生装置では、香り制御手段による制御に応じて、香り生成手段が香りを発生させ、香り射出手段が、当該香りを外部に射出することにより、香りを提供している。前記サーバは、前記道路状況情報のうち、当該道路状況情報に前記注意喚起情報が含まれる確率を所定のエリア及び所定の時間帯ごとに算出し、前記香り制御手段は、前記サーバから前記確率を含む情報を取得し、当該確率が所定の閾値以上のエリアに所定距離以上近づいた場合、香りを発生させると共に、前記確率が所定の閾値以上のエリアに到達した場合、前記消臭手段又は換気手段により消臭又は換気を行う。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
上記の香り発生装置の他の一態様では、上記香り生成手段は、所定の冷暗所に配置されている。ここでいう冷暗所とは、エンジン動作等による熱や、太陽光の影響を受けない場所をいい、具体的には、トランクルーム内部などである。従って、香り発生装置は、直射日光による香料の変質を防止することができ、車内の高温による香料の揮発や、匂いの漏れも防止することができ、さらに、動作音が運転手等にそれほど伝わらないようにすることもできる。この態様では、前記冷暗所は、トランクルームの床上である。この場合、車室内への匂いの漏れの遮蔽、香り生成手段の動作音の遮蔽効果がある。香り発生装置の生成手段を車室内に配置した場合、子供など乗員にいじられて、生成手段内のタンクの香料がこぼれる心配がない。仮に香料がこぼれても、匂いの漏れによる乗員室へ影響を最小限にすることができる。
【手続補正７】
【補正対象書類名】明細書
【補正対象項目名】００２５
【補正方法】変更
【補正の内容】
【００２５】
上記の香り発生装置の他の一態様では、前記香り生成手段と、前記香り射出手段との接続部分に電磁弁を備えている。この場合、香り発生装置は、上記電磁弁を閉めることにより、香料を外部の空気と完全に遮断することができる。精油は複数の有機化合物を成分に持つことにより、空気に触れることで酸化するので変性し、香りが変わってしまうことがある。従って、香り発生装置は、電磁弁を閉めることにより、香りが変わってしまうことを防止することができる。
上記の香り発生装置の他の一態様では、前記香り射出手段は、前記香りを一時的に滞留させる香り滞留手段を有し、前記滞留させた香りを射出し、前記香り滞留手段には該香り滞留手段の外部から空気を通すための穴が設けられている。
上記の香り発生装置の他の一態様では、前記香り制御手段は、前記香り生成手段が香りを生成しているときに前記香り射出手段に対して外部へ断続的に前記香りを射出する制御を行う。
上記の香り発生装置の他の一態様では、前記香り制御手段は、前記確率が所定の閾値以上のエリアに到達した場合、前記消臭手段又は換気手段により消臭又は換気を行った後、当該エリアに該当する注意喚起情報が道路情報のみから構成される場合には香りを発生させ、前記注意喚起情報が危険度の高いことを示す情報を含む場合には香りの発生を抑制する。
【国際調査報告】
2009037873.tif 000022
2009037873.tif 000023
2009037873.tif 000024
2009037873.tif 000025